(57)【特許請求の範囲】
【請求項１】
クライアント装置と、ホスト装置と、画像処理装置とを備え、
前記画像処理装置は、動作設定情報と関連付けられているアイコンが登録され、前記アイコンを表示する要求に応じて、前記アイコンを画像処理側表示装置に表示し、選択されたアイコンに関連付けられている動作設定情報が示す動作条件により動作を行う画像処理システムにおいて、
前記クライアント装置は、クライアント側記憶装置と、クライアント側制御部とを備え、
前記クライアント側制御部は、前記クライアント装置に対して登録された前記アイコンを、前記クライアント側記憶装置に記憶させ、かつ、前記クライアント側記憶装置に記憶されている前記アイコンのうち、前記クライアント装置の使用者の前記クライアント装置に対する入力操作により前記クライアント装置に登録されたアイコンのみを前記ホスト装置に送信し、
前記ホスト装置は、ホスト側記憶装置と、ホスト側制御部とを備え、
前記ホスト側制御部は、前記クライアント装置から受信した前記アイコンを、前記ホスト側記憶装置に記憶させ、かつ前記画像処理装置に登録し、
前記ホスト側制御部は、前記ホスト装置に対して登録された前記アイコンを、前記ホスト側記憶装置に記憶させ、前記ホスト側記憶装置に記憶されている前記アイコンのうち、前記ホスト装置の使用者の前記ホスト装置に対する入力操作により前記ホスト装置に登録されたアイコンのみを、前記画像処理装置に登録し、かつ前記クライアント装置に送信し、
前記クライアント装置は、クライアント側表示装置を備え、
前記クライアント側制御部は、前記ホスト装置から受信した前記アイコンを前記クライアント側記憶装置に記憶させ、前記アイコンを表示する要求に応じて、前記クライアント側記憶装置に記憶されている前記アイコンを前記クライアント側表示装置に表示させることを特徴とする画像処理システム。
【請求項２】
前記ホスト側制御部は、前記ホスト側記憶装置に記憶されている前記アイコンのうち、前記ホスト装置の使用者の前記ホスト装置に対する入力操作により前記ホスト装置に登録されたアイコンのみを、前記ホスト装置に接続されている全てのクライアント装置に送信することを特徴とする請求項１に記載の画像処理システム。
【請求項３】
前記クライアント側制御部は、前記クライアント装置の前記ホスト装置に対する接続が切断された場合に、前記クライアント側記憶装置に記憶されている前記アイコンのうち、前記ホスト装置から受信した前記アイコンを全て削除することを特徴とする請求項２に記載の画像処理システム。
【請求項４】
前記ホスト側制御部は、前記クライアント装置の前記ホスト装置に対する接続が切断された場合に、前記ホスト側記憶装置に記憶されている前記アイコンのうち、切断された前記クライアント装置から受信した前記アイコンを全て削除することを特徴とする請求項１から３のいずれか１項に記載の画像処理システム。
【請求項５】
前記クライアント側制御部は、前記クライアント装置に対して、ユーザー情報の入力を伴って登録された前記アイコンを、ユーザーの識別情報を付加して前記クライアント側記憶装置に記憶させ、前記アイコンを表示する、ユーザー情報の入力を伴った要求に応じて、前記クライアント側記憶装置に記憶されている前記アイコンのうち、前記要求に伴う前記ユーザー情報に対応したユーザーの識別情報が付加された前記アイコンのみを前記クライアント側表示装置に表示させることを特徴とする請求項１から４のいずれか１項に記載の画像処理システム。
【請求項６】
画像処理装置に動作設定情報と関連付けられているアイコンを登録し、画像処理装置が前記アイコンを表示する要求に応じて、前記アイコンを画像処理側表示装置に表示し、選択されたアイコンに関連付けられている動作設定情報が示す動作条件により動作を行う画像処理方法において、
クライアント装置に対して登録された前記アイコンを、クライアント側記憶装置に記憶させ、かつ、前記クライアント側記憶装置に記憶されている前記アイコンのうち、前記クライアント装置の使用者の前記クライアント装置に対する入力操作により前記クライアント装置に登録されたアイコンのみをホスト装置に送信する工程と、
前記ホスト装置が、前記クライアント装置から受信した前記アイコンを、ホスト側記憶装置に記憶させ、かつ前記画像処理装置に登録する工程と、
前記ホスト装置に対して登録された前記アイコンを、前記ホスト側記憶装置に記憶させ、前記ホスト側記憶装置に記憶されている前記アイコンのうち、前記ホスト装置の使用者の前記ホスト装置に対する入力操作により前記ホスト装置に登録されたアイコンのみを、前記画像処理装置に登録し、かつ前記クライアント装置に送信する工程とを備え、
前記クライアント装置は、クライアント側表示装置を備え、
前記ホスト装置から受信した前記アイコンを前記クライアント側記憶装置に記憶させ、前記アイコンを表示する要求に応じて、前記クライアント側記憶装置に記憶されている前記アイコンを前記クライアント側表示装置に表示させる工程を備えていることを特徴とする画像処理方法。
【請求項７】
請求項１から５のいずれか１項に記載の画像処理システムを機能させるためのプログラムであって、前記クライアント装置の前記クライアント側制御部としてコンピュータを機能させるためのプログラム、および、前記ホスト装置の前記ホスト側制御部としてコンピュータを機能させるためのプログラムを含むプログラムを記録したコンピュータ読み取り可能な記録媒体。
【発明の詳細な説明】
【技術分野】
【０００１】
本発明は、画像処理装置の動作と関連付けられたアイコンを使用する画像処理システム、画像処理方法および記録媒体に関するものである。
【背景技術】
【０００２】
従来、複写機では、ユーザーの好みに応じて、アイコンなどの操作ボタンをタッチパネルからなる操作パネル上に設定できるようにした構成が提案されている。例えば特許文献１には、スキャナとしての機能を備えた複写機によるスキャン画像を他の装置に転送する転送システムを備え、この転送システムのツールから、ユーザーが複写機の操作パネル上に表示するアイコンを登録できるようになっている。アイコンの登録後には、ユーザーがアイコンを操作することにより、スキャン等のプロファイルを設定し、処理の開始が指示される。
【０００３】
このような構成によれば、ユーザーが好みのアイコンを複写機に登録することができ、複写機の操作パネル上において、ユーザーは容易に所定のアイコンを見つけ出すことができる。この結果、複写機に対するユーザーの操作時間を短縮することができる。
【先行技術文献】
【特許文献】
【０００４】
【特許文献１】特開２０００−３５４１２４号公報（２０００年１２月１９日公開）
【発明の概要】
【発明が解決しようとする課題】
【０００５】
しかしながら、上記従来の構成では、複写機ごとにアイコンを設定する必要がある。このため、例えば一つのオフィス内に複数台の複写機が設置され、ユーザーが状況に応じてそれら複写機を使い分けているような場合、ユーザーは各複写機に対してアイコンを設定しなければならない。このため、ユーザーによるアイコンの設定作業が煩雑になるという問題点を有している。
【０００６】
したがって、本発明は、ユーザーが適宜複数の画像処理装置を使用する場合において、それら装置に対するアイコンの設定を容易に行うことができる画像処理システム、画像処理方法および記録媒体の提供を目的としている。
【課題を解決するための手段】
【０００７】
上記の課題を解決するために、本発明の画像処理システムは、クライアント装置と、ホスト装置と、画像処理装置とを備え、前記画像処理装置は、動作設定情報と関連付けられているアイコンが登録され、前記アイコンを表示する要求に応じて、前記アイコンを画像処理側表示装置に表示し、選択されたアイコンに関連付けられている動作設定情報が示す動作条件により動作を行う画像処理システムにおいて、前記クライアント装置は、クライアント側記憶装置と、クライアント側制御部とを備え、前記クライアント側制御部は、前記クライアント装置に対して登録された前記アイコンを、前記クライアント側記憶装置に記憶させ、かつ前記ホスト装置に送信し、前記ホスト装置は、ホスト側記憶装置と、ホスト側制御部とを備え、前記ホスト側制御部は、前記クライアント装置から受信した前記アイコンを、前記ホスト側記憶装置に記憶させ、かつ前記画像処理装置に登録することを特徴としている。
【０００８】
また、本発明の画像処理方法は、画像処理装置に動作設定情報と関連付けられているアイコンを登録し、画像処理装置が前記アイコンを表示する要求に応じて、前記アイコンを画像処理側表示装置に表示し、選択されたアイコンに関連付けられている動作設定情報が示す動作条件により動作を行う画像処理方法において、クライアント装置に対して登録された前記アイコンを、クライアント側記憶装置に記憶させ、かつホスト装置に送信する工程と、前記ホスト装置が、前記クライアント装置から受信した前記アイコンを、ホスト側記憶装置に記憶させ、かつ前記画像処理装置に登録する工程とを備えていることを特徴としている。
【０００９】
上記の構成によれば、クライアント装置のクライアント側制御部は、クライアント装置に対して登録されたアイコンを、クライアント側記憶装置に記憶させ、かつホスト装置に送信する。ホスト装置のホスト側制御部は、クライアント装置から受信したアイコンを、ホスト側記憶装置に記憶させ、かつ画像処理装置に登録する。画像処理装置は、アイコンを表示する要求に応じて、登録されているアイコンを画像処理側表示装置に表示し、選択されたアイコンに関連付けられている動作設定情報が示す動作条件により動作を行う。
【００１０】
したがって、ユーザーは、所望のアイコンを動作設定情報と関連づけてクライアント装置に登録しておけば、例えば一つのオフィス内に複数台の画像処理装置が設置されている環境下であっても、各画像処理装置において上記所望のアイコンを利用することができる。すなわち、ユーザーは、各画像処理装置において所望のアイコンを利用するための煩雑な設定作業を行う必要がなく、所望のアイコンの設定作業を容易に行うことができる。
【００１１】
また、ホスト装置では、クライアント装置に対して登録されたアイコンを適宜利用することができる。
【００１２】
上記の画像処理システムにおいて、前記ホスト側制御部は、前記ホスト装置に対して登録された前記アイコンを、前記ホスト側記憶装置に記憶させ、前記画像処理装置に登録し、かつ前記クライアント装置に送信し、前記クライアント装置は、クライアント側表示装置を備え、前記クライアント側制御部は、前記ホスト装置から受信した前記アイコンを前記クライアント側記憶装置に記憶させ、前記アイコンを表示する要求に応じて、前記クライアント側記憶装置に記憶されている前記アイコンを前記クライアント側表示装置に表示させる構成としてもよい。
【００１３】
上記の構成によれば、ホスト側制御部は、ホスト装置に対して登録されたアイコンを、ホスト側記憶装置に記憶させ、かつ画像処理装置に登録する。さらに、ホスト側記憶装置に記憶されているアイコンをクライアント装置に送信する。クライアント装置のクライアント側制御部は、ホスト装置から受信したアイコンをクライアント側記憶装置に記憶させる。さらに、アイコンを表示する要求に応じて、クライアント側記憶装置に記憶されているアイコンをクライアント側表示装置に表示させる。
【００１４】
したがって、ユーザーは、ホスト装置に対して登録されたアイコンを適宜利用することができる。これにより、ホスト装置に対して登録されたアイコンのうち、利用可能なアイコンがあれば、それを利用することにより、クライアント装置において重複してアイコンを登録する作業を省略することができる。
【００１５】
上記の画像処理システムにおいて、前記ホスト側制御部は、前記ホスト装置に対して登録された前記アイコンを、前記ホスト装置に接続されている全てのクライアント装置に送信する構成としてもよい。
【００１６】
上記の構成によれば、ホスト装置に接続されている全てのクライアント装置において、それらクライアント装置のユーザーは、ホスト装置に対して登録されたアイコンを適宜利用することができる。これにより、ホスト装置に対して登録されたアイコンのうち、利用可能なアイコンがあれば、それを利用することにより、クライアント装置において重複してアイコンを登録する作業を省略することができる。
【００１７】
上記の画像処理システムにおいて、前記クライアント側制御部は、前記クライアント装置の前記ホスト装置に対する接続が切断された場合に、前記クライアント側記憶装置に記憶されている前記アイコンのうち、前記ホスト装置から受信した前記アイコンを全て削除する構成としてもよい。
【００１８】
上記の構成によれば、クライアント装置のホスト装置に対する接続が切断された場合には、クライアント側記憶装置に記憶されているアイコンのうち、ホスト装置から受信したアイコンが全て削除される。したがって、クライアント装置が、第１のホスト装置との接続を切断し、新たに第２のホスト装置に接続した場合に、クライアント側記憶装置において、第１のホスト装置から受信した不要なアイコンと第２のホスト装置から受信した有用なアイコンとが混在する事態を防止することができる。これにより、第２のホスト装置から受信した有用なアイコンを容易に利用することができる。
【００１９】
上記の画像処理システムにおいて、前記ホスト側制御部は、前記クライアント装置の前記ホスト装置に対する接続が切断された場合に、前記ホスト側記憶装置に記憶されている前記アイコンのうち、切断された前記クライアント装置から受信した前記アイコンを全て削除する構成としてもよい。
【００２０】
上記の構成によれば、クライアント装置のホスト装置に対する接続が切断された場合には、ホスト側記憶装置に記憶されているアイコンのうち、切断されたクライアント装置から受信したアイコンが全て削除される。これにより、ホスト側記憶装置に不要なアイコンが蓄積されて、ホスト側記憶装置の記憶容量が圧迫される事態を防止することができる。
【００２１】
上記の画像処理システムにおいて、前記クライアント側制御部は、前記クライアント装置に対して、ユーザー情報の入力を伴って登録された前記アイコンを、ユーザーの識別情報を付加して前記クライアント側記憶装置に記憶させ、前記アイコンを表示する、ユーザー情報の入力を伴った要求に応じて、前記クライアント側記憶装置に記憶されている前記アイコンのうち、前記要求に伴う前記ユーザー情報に対応したユーザーの識別情報が付加された前記アイコンのみを前記クライアント側表示装置に表示させる構成としてもよい。
【００２２】
上記の構成によれば、アイコンを表示する、ユーザー情報の入力を伴った要求があった場合には、クライアント側記憶装置に記憶されているアイコンのうち、前記要求に伴うユーザー情報に対応したユーザーの識別情報が付加されたアイコンのみがクライアント側表示装置に表示される。したがって、一つのクライアント装置を複数のユーザーが使用する場合に、クライアント側表示装置において、一人のユーザーが登録したアイコンが他のユーザーによって閲覧される事態を防止することができる。
【発明の効果】
【００２３】
本発明の構成によれば、ユーザーは、所望のアイコンを動作設定情報と関連づけてクライアント装置に登録しておけば、例えば一つのオフィス内に複数台の画像処理装置が設置されている環境下であっても、各画像処理装置において上記所望のアイコンを利用することができる。すなわち、ユーザーは、各画像処理装置において所望のアイコンを利用するための煩雑な設定作業を行う必要がなく、所望のアイコンの設定作業を容易に行うことができる。また、ホスト装置では、クライアント装置に対して登録されたアイコンを適宜利用することができる。
【図面の簡単な説明】
【００２４】
【図１】本発明の実施の形態における画像処理システムの構成を示すブロック図である。
【図２】図１に示した第１，第２ホストＰＣの記憶装置、および第１，第２クライアントＰＣの記憶装置に記憶されるログイン情報のデータ構造の概要を示す説明図である。
【図３】図１に示した第１，第２ホストＰＣの記憶装置に記憶されるライセンスキー情報のデータ構造の概要を示す説明図である。
【図４】図１に示した第１，第２ホストＰＣの記憶装置、第１，第２クライアントＰＣの記憶装置に記憶されるプロファイル情報のデータ構造の概要を示す説明図である。
【図５】図１に示した第１，第２ホストＰＣの記憶装置、および第１，第２クライアントＰＣの記憶装置に記憶されるユーザー情報のデータ構造の概要を示す説明図である。
【図６】図１に示した第１，第２ホストＰＣの記憶装置、第１，第２クライアントＰＣの記憶装置に記憶されるアイコン情報のデータ構造の概要を示す説明図である。
【図７】図１に示した画像処理システムにおいてログイン情報を登録する場合の動作を説明するフローチャートである。
【図８】図１に示した第１クライアントＰＣが第１ホストＰＣに接続された後に実行される、第１クライアントＰＣと第１ホストＰＣとの間の動作を示すフローチャートである。
【図９】図１に示したホストＰＣとこのホストＰＣに接続された複数のクライアントＰＣにより、アイコン情報を共有する動作を示すフローチャートである。
【図１０】図１に示したホストＰＣとクライアントＰＣとにおける、これら両者の接続が切断された場合の動作を示すフローチャートである。
【図１１】図１に示した第１クライアントＰＣにおいて、表示装置に特定のユーザーＩＤをアイコンソースとするアイコンのみを一覧表示する場合の動作を示すフローチャートである。
【図１２】図１に示した第１クライアントＰＣの表示装置に表示されるアイコン登録画面を示す説明図である。
【図１３】図１に示した第１クライアントＰＣの表示装置に表示される、プロファイル追加・修正のための第１画面を示す説明図である。
【図１４】上記表示装置に表示される、プロファイル追加・修正のための第２画面を示す説明図である。
【図１５】上記表示装置に表示される、プロファイル追加・修正のための第３画面を示す説明図である。
【図１６】図１５に示したプロファイル設定ツール画面の第３画面を表示する場合に行われる第１クライアントＰＣおよび第１ホストＰＣの動作を示すフローチャートである。
【図１７】図１に示した画像処理装置における、待機中の複合機にユーザーがログインする場合、およびログインした後の動作を示すフローチャートである。
【図１８】図１７のＳ２０１において複合機の表示装置に表示される第１画面（ログイン画面）を示す説明図である。
【図１９】図１７のＳ２０３において複合機の表示装置に表示される第２画面（初期画面）を示す説明図である。
【図２０】図１７のＳ２１２において複合機の表示装置に表示される第３画面を示す説明図である。
【図２１】図１に示した画像処理システムにおけるログインからスキャン完了までの動作における前段部分の動作を示すフローチャートである。
【図２２】図２１の上記前段部分の動作に続く中段部分の動作を示すフローチャートである。
【図２３】図２２の上記中段部分の動作に続く後段部分の動作を示すフローチャートである。
【図２４】図２１のＳ２３において表示されるログイン画面を示す説明図である。
【図２５】図２１のＳ２７において表示されるプロファイル一覧画面を示す説明図である。
【図２６】図２１のＳ３１において表示されるプロファイルの内容表示画面を示す説明図である。
【図２７】図２２のＳ４３において表示されるプロファイルの保存確認画面を示す説明図である。
【図２８】図４に示したプロファイル情報に含まれるＰＣ処理条件のデータ構造の概要を示す説明図である。
【図２９】図１に示した第１クライアントＰＣにおいて実行されるＰＣ処理を示すフローチャートである。
【図３０】図１に示した第１ホストＰＣの記憶装置に記憶されている、複合機別の対応するプロファイルアイコンのアイコンＩＤとその並び順を記憶した管理テーブルである。
【発明を実施するための形態】
【００２５】
本発明の実施の形態を図面に基づいて以下に説明する。
【００２６】
（システム構成）
図１は、本発明の実施の形態における画像処理システムの構成を示すブロック図である。なお、以下では、パーソナルコンピュータは、単にＰＣと称する。
【００２７】
図１に示すように、情報処理システムは、第１ホストＰＣ（ホスト装置）１、第２ホストＰＣ（ホスト装置）２、第１クライアントＰＣ３（クライアント装置）３、第２クライアントＰＣ（クライアント装置）４および複合機（画像処理装置）５を備え、これらがネットワーク６を介して互いに接続されている。
【００２８】
第１ホストＰＣ１は、制御装置（ホスト側制御部）１１、記憶装置（ホスト側記憶装置）１２および通信装置１３を備えている。第２ホストＰＣ２は、同様に、制御装置（ホスト側制御部）２１、記憶装置（ホスト側記憶装置）２２および通信装置２３を備えている。
【００２９】
第１クライアントＰＣ３は、制御装置３１、記憶装置（クライアント側記憶装置）３２、通信装置３３、入力装置３４および表示装置（クライアント側表示装置）３５を備えている。第２クライアントＰＣ４は、同様に、制御装置４１、記憶装置（クライアント側記憶装置）４２、通信装置４３、入力装置４４および表示装置（クライアント側表示装置）４５を備えている。
【００３０】
複合機５は、制御装置５１、記憶装置５２、通信装置５３、入力装置５４、表示装置（画像処理側表示装置）５５、印刷装置５６および画像読取装置５７を備えている。
【００３１】
第１，第２ホストＰＣ１，２において、制御装置１１，２１はＣＰＵ等からなる。記憶装置１２，２２はハードディスクドライブ、ＲＡＭ等からなる。通信装置１３，２３はＬＡＮカード等からなり、ネットワーク６に接続されている。
【００３２】
第１，第２ホストＰＣ１，２は、第１，第２クライアントＰＣ３，４あるいは複合機５からの要求に応じて、それらの表示装置３５，４５，５５に表示するための各種ユーザーインターフェースを提供する。このために、それらユーザーインターフェースの表示用データを保持し、あるいは作成する。
【００３３】
第１，第２クライアントＰＣ３，４において、制御装置３１，４１はＣＰＵ等からなる。記憶装置３２，４２はハードディスクドライブ、ＲＡＭ等からなる。通信装置３３，４３はＬＡＮカード等からなり、ネットワーク６に接続されている。入力装置３４，４４はキーボード、マウス等からなる。表示装置３５，４５は液晶ディスプレイ等からなる。
【００３４】
複合機５において、制御装置５１はＣＰＵ等からなる。記憶装置５２はハードディスクドライブ、ＲＡＭ等からなる。通信装置５３はＬＡＮカード等からなり、ネットワーク６に接続されている。入力装置５４はテンキー、タッチパネル等からなる。表示装置５５は例えば液晶ディスプレイ等からなり、複合機５の操作パネルに配置されている。本実施の形態において、表示装置５５はタッチパネルからなる。印刷装置５６は画像データに基づき紙への印刷を行う。画像読取装置５７は、紙に書かれた情報を読み取り画像データを生成する。
【００３５】
ここで、通信装置１３，２３，３３，４３，５３とネットワーク６との接続は、必ずしもＬＡＮケーブル等で物理的に接続されている必要はなく、無線ＬＡＮなどを経由して接続されていればよい。また、一部の機器はファイアーウォールを経由してインターネット上に存在していてもよい。
【００３６】
（ログイン情報）
図２は、図１に示した第１，第２ホストＰＣ１，２の記憶装置１２，２２、および第１，第２クライアントＰＣ３，４の記憶装置３２，４２に記憶されるログイン情報のデータ構造の概要を示す説明図である。図３は、図１に示した第１，第２ホストＰＣ１，２の記憶装置１２，２２に記憶されるライセンスキー情報のデータ構造の概要を示す説明図である。
【００３７】
ログイン情報は、図２に示すように、そのログイン情報に含まれるユーザー数Ｎ、およびＮの値に等しい数の個別ログイン情報（個別ログイン情報１〜Ｎ）から構成される。各個別ログイン情報は、個別ログイン情報に対応する第１，第２クライアントＰＣ３，４を特定するためのクライアント識別子、ユーザーを特定するためのユーザー識別子、ユーザー名およびパスワードから構成される。
【００３８】
（ライセンスキー情報）
ライセンスキー情報は、図３に示すように、ライセンスキー数Ｎ、およびＮの値に等しい数のライセンスキーから構成される。ライセンスキーとは、第１，第２クライアントＰＣ３，４に付与されているライセンスを特定するための文字列である。
【００３９】
図２に示したログイン情報の各個別ログイン情報と図３に示したライセンスキー情報の各ライセンスキーとの関係については、個別ログイン情報１がライセンスキー１と対応し、個別ログイン情報２がライセンスキー２と対応し、……、個別ログイン情報ＮがライセンスキーＮに対応している。
【００４０】
（プロファイル情報）
図４は、図１に示した第１，第２ホストＰＣ１，２の記憶装置１２，２２、および第１，第２クライアントＰＣ３，４の記憶装置３２，４２に記憶されるプロファイル情報のデータ構造の概要を示す説明図である。図５は、図１に示した第１，第２ホストＰＣ１，２の記憶装置１２，２２、および第１，第２クライアントＰＣ３，４の記憶装置３２，４２に記憶されるユーザー情報のデータ構造の概要を示す説明図である。プロファイル情報およびユーザー情報は、第１ホストＰＣ１、第２ホストＰＣ２、第１クライアントＰＣ３、または第２クライアントＰＣ４にて作成される。プロファイル情報は複写機５の動作設定情報を含んでいる。
【００４１】
(アイコン情報)
図６は、図１に示した第１，第２ホストＰＣ１，２の記憶装置１２，２２、および第１，第２クライアントＰＣ３，４の記憶装置３２，４２に記憶されるアイコン情報のデータ構造の概要を示す説明図である。
【００４２】
アイコン情報は、そのアイコン情報に含まれるアイコン数Ｎ、およびＮの値に等しい数の個別アイコン情報（個別アイコン情報１〜Ｎ）から構成される。各個別ログイン情報は、アイコンＩＤ、アイコンソースおよびアイコンデータから構成される。
【００４３】
アイコンＩＤは、アイコンを識別するものである。アイコンソースは、アイコンがどこで登録されたかを示す情報である。このアイコンソースは、具体的には、第１，第２ホストＰＣ１，２を識別するホストＩＤ、第１，第２クライアントＰＣ３，４を識別するクライアントＩＤ、あるいはユーザーを識別するユーザーＩＤのいずれかとなる。アイコンデータは、アイコンの画像データである。
【００４４】
なお、本実施の形態においては、画像処理システムにおいて作成されるユーザー毎のプロファイルは、複合機５の画像読取装置５７にてスキャンする場合に使用されるスキャンプロファイル、および印刷装置５６にて印刷する場合に使用される印刷プロファイルとして説明する。これらスキャンプロファイルおよび印刷プロファイルは、第１，第２ホストＰＣ１，２の記憶装置１２，２２、および第１，第２クライアントＰＣ３，４の記憶装置３２，４２に記憶される。
【００４５】
（プロファイル情報とユーザー情報との関係）
図４に示したプロファイル情報と図５に示したユーザー情報との関係については、ユーザー情報（図５参照）における個別ユーザー情報１〜Ｎ毎に、プロファイル情報（図４参照）が設けられる。個別ユーザー情報は各ユーザー毎に設けられるユーザー情報である。したがって、個別ユーザー情報１（図５参照）のプロファイル識別子１１は、個別プロファイル情報１（図４参照）のプロファイル識別子１に、個別ユーザー情報１（図５参照）のプロファイル識別子１２は個別プロファイル情報２（図４参照）のプロファイル識別子２に、……個別ユーザー情報Ｎ（図５参照）のプロファイル識別子１Ｍ１は個別プロファイル情報Ｎ（図４参照）のプロファイル識別子Ｎに、それぞれ対応している。
【００４６】
図４に示すように、プロファイル情報は、そのプロファイル情報に含まれるプロファイルの個数（個別プロファイル情報の個数）Ｎを示す情報、およびこのプロファイルの個数Ｎの値に等しい数の個別プロファイル情報１〜Ｎから構成される。
【００４７】
上記の各個別プロファイル情報は、プロファイル識別子、プロファイル名、プロファイル基本情報、スキャン・印刷フラグ、スキャン・印刷条件、およびＰＣ処理条件を備えている。
【００４８】
プロファイル識別子は、そのプロファイル識別子を有する個別プロファイル情報を他の個別プロファイル情報と識別して、個別プロファイル情報を特定するためのものである。プロファイル基本情報は、プロファイル（個別プロファイル情報）毎に設定されるプロファイルアイコン情報等の情報である。スキャン・印刷フラグは、個別プロファイル情報によって示されるプロファイルがスキャン用プロファイルか印刷用プロファイルかを判別するためのフラグである。スキャン・印刷条件は、個別プロファイル情報によって示されるプロファイルがスキャン用プロファイルか印刷用プロファイルかに応じて、複合機５の画像読取装置５７にてスキャンを行う場合の条件（スキャン条件）または印刷装置５６にて印刷を行う場合の条件（印刷条件）を示す。ＰＣ処理条件は、第１ホストＰＣ１、第２ホストＰＣ２、第１クライアントＰＣ３、または第２クライアントＰＣ４において実行するＰＣ処理の条件を示す。
【００４９】
図５に示すように、ユーザー情報は、当該ユーザー情報に含まれるユーザーの個数（個別ユーザー情報の個数）Ｎを示す情報、およびユーザーの個数Ｎの値に等しい数の個別ユーザー情報１〜Ｎから構成される。各個別ユーザー情報は、ユーザー識別子、ユーザー名、ユーザー基本情報、個別ユーザー情報に含まれるプロファイルの個数（当該ユーザーが有するプロファイルの個数）Ｍ１〜ＭＮを示す情報、およびプロファイル識別子を備えている。
【００５０】
ユーザー識別子は、当該個別ユーザー情報を他の個別ユーザー情報と識別して、当該個別ユーザー情報を特定するためのものである。ユーザー基本情報は、ユーザー（個別ユーザー情報）毎に設定されるユーザーアイコン情報等の情報である。プロファイル識別子は、上記の個数Ｍ１〜ＭＮの値に等しい数だけ備えられる。
【００５１】
上記の構成において、本実施の形態の画像処理システムの動作について以下に説明する。以下では、主として、第１クライアントＰＣ３と第１ホストＰＣ１との間の動作を例として説明する。なお、以下のクライアントＰＣとホストＰＣとの間の各動作は、第１ホストＰＣ１と第１クライアントＰＣ３および第２クライアントＰＣ４との間、または第２ホストＰＣ２と第１クライアントＰＣ３および第２クライアントＰＣ４との間において行われるものであってもよい。
【００５２】
(ログイン情報を登録する場合の動作)
図７は、図１に示した画像処理システムにおいてログイン情報を登録する場合の動作を説明するフローチャートである。この処理は、例えば未登録のクライアントＰＣが、ホストＰＣに対して接続する場合の処理を含む。
【００５３】
図７に示すように、第１クライアントＰＣ３がネットワーク６を経由して第１ホストＰＣ１に接続されると、第１クライアントＰＣ３の制御装置３１は、記憶装置３２に格納されている、ログイン情報、および第１クライアントＰＣ３に付与され記憶装置３２に格納されているライセンスキーを、通信装置３３およびネットワーク６を経由して第１ホストＰＣ１に送信する（Ｓ４０１）。
【００５４】
第１ホストＰＣ１の制御装置１１は、第１クライアントＰＣ３からのログイン情報（クライアント識別情報）およびライセンスキーをネットワーク６および通信装置３３を経由して受信する（Ｓ４０２）。
【００５５】
第１ホストＰＣ１の制御装置１１は、受信したライセンスキーが、記憶装置１２に格納されているライセンスキー情報のいずれかのライセンスキーと一致するか否かを判定する（Ｓ４０３）。この判定の結果、受信したライセンスキーが記憶しているライセンスキーと一致すれば、第１クライアントＰＣ３からの接続要求は一時的な接続を要求するものではないと判断し、接続を許可する旨を、通信装置１３およびネットワーク６を経由して第１クライアントＰＣ３に送信する（Ｓ４０４）。
【００５６】
第１クライアントＰＣ３の制御装置３１は、ネットワーク６および通信装置３３を経由して、第１ホストＰＣ１から接続が許可された旨を受信すると、その旨の情報を例えば表示装置３５での表示によってユーザーに通知した後（Ｓ４０５）、処理を終了する。
【００５７】
一方、第１ホストＰＣ１の制御装置１１は、Ｓ４０３の判定の結果、受信したライセンスキーが記憶しているライセンスキーと一致しなければ、第１クライアントＰＣ３からの接続要求は一時的な接続を要求するもの判断する。この場合、制御装置１１は、さらに、一時的な接続を許可する設定となっているか否かを判定する（Ｓ４０６）。この判定の結果、一時的な接続を許可する設定となっていなければ、接続を拒否する旨を、通信装置１３およびネットワーク６を経由して第１クライアントＰＣ３に送信する（Ｓ４０７）。なお、一時的な接続を許可するかどうかの設定は、例えば第１ホストＰＣ１の管理者により、第１ホストＰＣ１に対して予め行われている。
【００５８】
第１クライアントＰＣ３の制御装置３１は、ネットワーク６および通信装置３３を経由して、第１ホストＰＣ１から接続が拒否された旨を受信すると、その旨の情報をユーザーに通知した後（Ｓ４０８）、処理を終了する。
【００５９】
また、第１ホストＰＣ１の制御装置１１は、Ｓ４０６の判定の結果、一時的な接続を許可する設定となっていれば、第１クライアントＰＣ３から受信したログイン情報、およびライセンスキーを記憶装置１２に記憶する（Ｓ４０９）。さらに、接続を許可する旨を、通信装置１３およびネットワーク６を経由して第１クライアントＰＣ３に送信する(Ｓ４１０)。
【００６０】
第１クライアントＰＣ３の制御装置３１は、ネットワーク６および通信装置３３を経由して、第１ホストＰＣ１から接続を許可する旨を受信すると、その旨の情報をユーザーに通知し(Ｓ４１１)、処理を終了する。
【００６１】
(クライアントＰＣをホストＰＣに接続後の動作)
次に、図１に示した画像処理システムにおいて、クライアントＰＣがホストＰＣに接続された後に実行される動作について説明する。図８は、第１クライアントＰＣ３が第１ホストＰＣ１に接続された後に実行される、第１クライアントＰＣ３と第１ホストＰＣ１との間の動作を示すフローチャートである。この処理には、第１クライアントＰＣ３のログイン情報（ユーザー識別子）が第１ホストＰＣ１に既に登録されている場合の処理(図７の処理によって第１クライアントＰＣ３が登録された場合の処理）が含まれている。
【００６２】
図８において、第１クライアントＰＣ３がネットワーク６を経由して第１ホストＰＣ１に接続されると（Ｓ１１）、第１クライアントＰＣ３の制御装置３１は、記憶装置３２に格納されているユーザー情報およびプロファイル情報を、通信装置３３およびネットワーク６を経由して第１ホストＰＣ１に送信する（Ｓ１２）。第１クライアントＰＣ３と第１ホストＰＣ１との上記接続は、ユーザーが第１クライアントＰＣ３の入力装置３４を操作して接続要求を入力し、制御装置３１がその接続要求を通信装置３３およびネットワーク６を介して第１ホストＰＣ１に送信することにより行われる。
【００６３】
第１ホストＰＣ１の制御装置１１は、第１クライアントＰＣ３から送信されてきたユーザー情報およびプロファイル情報を、ネットワーク６および通信装置１３を経由して受信すると、それらユーザー情報およびプロファイル情報を記憶装置１２に記憶させる（Ｓ１３）。
【００６４】
ユーザー情報を記憶させる場合に、制御装置１１は、受信したユーザー情報に含まれる各個別ユーザー情報について、ユーザー識別子が記憶装置１２に既に記憶されている個別ユーザー情報のユーザー識別子と一致するか否かを判定する。この判定の結果、ユーザー識別子が記憶装置１２に既に記憶されている個別ユーザー情報のユーザー識別子と一致する個別ユーザー情報については、その個別ユーザー情報により記憶装置１２に記憶されている個別ユーザー情報を上書きする。一方、ユーザー識別子が記憶装置１２に既に記憶されているいずれの個別ユーザー情報のユーザー識別子とも一致しない個別ユーザー情報については、新規に登録し、新規に登録した数の分だけユーザー情報におけるユーザーの個数を増やす。
【００６５】
また、プロファイル情報を記憶させる場合に、第１ホストＰＣ１の制御装置１１は、受信したプロファイル情報に含まれる各個別プロファイル情報について、プロファイル識別子が記憶装置１２に既に記憶されている個別プロファイル情報のプロファイル識別子と一致するか否かを判定する。この判定の結果、プロファイル識別子が記憶装置１２に既に記憶されている個別プロファイル情報のプロファイル識別子と一致する個別プロファイル情報については、その個別プロファイル情報により記憶装置１２に記憶されている個別プロファイル情報上書きする。一方、プロファイル識別子が記憶装置１２に既に記憶されているいずれの個別プロファイル情報のプロファイル識別子とも一致しない個別プロファイル情報については、新規に登録し、新規に登録した数の分だけプロファイル情報におけるプロファイルの個数を増やす。
【００６６】
また、第１ホストＰＣ１の制御装置１１は、例えば第１ホストＰＣ１の管理者により、第１ホストＰＣ１に直接登録されて（第１ホストＰＣ１に対して登録されて）記憶装置１２に記憶されている全てのアイコン情報を第１クライアントＰＣ３に送信する（Ｓ１４）。この場合に送信するアイコン情報は、アイコンソースが第１ホストＰＣ１のホストＩＤとなっているものである。なお、第１ホストＰＣ１から第１クライアントＰＣ３に送信されるアイコン情報に含まれる各アイコンは、プロファイル情報に含まれる、複写機５の動作設定情報と関連付けられている。
【００６７】
第１クライアントＰＣ３の制御装置３１は、第１ホストＰＣ１に直接登録されているアイコン情報を第１ホストＰＣ１からネットワーク６および通信装置３３を経由して受信すると、それらアイコン情報を記憶装置３２に記憶させる（Ｓ１５）。この場合に記憶装置３２に記憶されるアイコン情報のアイコンソースは、第１ホストＰＣ１のホストＩＤのままである。
【００６８】
その後、第１クライアントＰＣ３の制御装置３１は、例えばユーザーにより、第１クライアントＰＣ３に直接登録されて（第１クライアントＰＣ３に対して登録されて）記憶装置３２に記憶されているアイコン情報を、通信装置３３およびネットワーク６を経由して第１ホストＰＣ１に送信する（Ｓ１６）。この場合に送信するアイコン情報は、アイコンソースが第１クライアントＰＣ３のクライアントＩＤとなっているものである。なお、第１クライアントＰＣ３から第１ホストＰＣ１に送信されるアイコン情報に含まれる各アイコンは、プロファイル情報に含まれる、複写機５の動作設定情報と関連付けられている。
【００６９】
第１ホストＰＣ１の制御装置１１は、第１クライアントＰＣ３に直接登録されているアイコン情報を第１クライアントＰＣ３からネットワーク６および通信装置１３を経由して受信すると、それらアイコン情報を記憶装置１２に記憶させる（Ｓ１７）。この場合に記憶装置１２に記憶されるアイコン情報のアイコンソースは、第１クライアントＰＣ３のクライアントＩＤのままである。
【００７０】
上記動作により、第１ホストＰＣ１は、第１クライアントＰＣ３に直接登録されているアイコン情報を利用することができ、第１クライアントＰＣ３は、第１ホストＰＣ１に直接登録されているアイコン情報を利用することができる。
【００７１】
（ホストＰＣと複数のクライアントＰＣとのアイコン情報の共有動作）
次に、本実施の形態の画像処理システムにおいて、ホストＰＣとこのホストＰＣに接続された複数のクライアントＰＣにより、アイコン情報を共有する動作について説明する。図９は、ホストＰＣとこのホストＰＣに接続された複数のクライアントＰＣとにより、アイコン情報を共有する動作を示すフローチャートである。
【００７２】
図９に示すように、第１クライアントＰＣ３において、ユーザーにより新たにアイコンが登録されると（Ｓ５０１）、制御装置３１は登録されたアイコンのアイコン情報を記憶装置３２に記憶させるとともに、通信装置３３およびネットワーク６を介して、第１ホストＰＣ１に送信する（Ｓ５０２）。
【００７３】
第１ホストＰＣ１の制御装置１１は、第１クライアントＰＣ３からアイコン情報を受信すると、そのアイコン情報を記憶装置１２に記憶させる（Ｓ５０３）。この場合に記憶装置１２に記憶されるアイコン情報のアイコンソースは、第１クライアントＰＣ３のクライアントＩＤとなっている。
【００７４】
次に、第１ホストＰＣ１において、第１ホストＰＣ１の管理者により新たにアイコンが登録されると（Ｓ５０４）、制御装置１１は登録されたアイコンのアイコン情報を記憶装置１２に記憶させるとともに、通信装置１３およびネットワーク６を介して、第１，第２クライアントＰＣ３，４に送信する（Ｓ５０５）。なお、第１ホストＰＣ１から第１クライアントＰＣ３に送信されるアイコン情報に含まれる各アイコンは、プロファイル情報に含まれる、複写機５の動作設定情報と関連付けられている。
【００７５】
第１，第２クライアントＰＣ３，４の制御装置３１，４１は、第１クライアントＰＣ３からアイコン情報を受信すると、そのアイコン情報をそれぞれ記憶装置３２，４２に記憶させる（Ｓ５０６，Ｓ５０７）。この場合に記憶装置３２，４２に記憶されるアイコン情報のアイコンソースは、第１ホストＰＣ１のホストＩＤとなっている。
【００７６】
（接続切断後のアイコン情報の削除動作）
次に、本実施の形態の画像処理システムにおいて、ホストＰＣとクライアントＰＣとにおける、これら両者の接続が切断された場合のアイコン情報の削除動作について説明する。図１０は、ホストＰＣとクライアントＰＣとにおける、これら両者の接続が切断された場合の動作を示すフローチャートである。
【００７７】
図１０に示すように、第１クライアントＰＣ３が第１ホストＰＣ１と接続している状態から、第１クライアントＰＣ３が第１ホストＰＣ１から切断されると（Ｓ６０１）、第１ホストＰＣ１の制御装置１１は、第１クライアントＰＣ３から送信され、記憶装置１２に記憶されている全てのアイコン情報を記憶装置１２から削除する（Ｓ６０２）。
【００７８】
この場合、第１ホストＰＣ１からの第１クライアントＰＣ３の上記切断は、ユーザーが第１クライアントＰＣ３の入力装置３４を操作して切断要求を入力し、制御装置３１がその切断要求を通信装置３３およびネットワーク６を介して第１ホストＰＣ１に送信することにより行われる。第１ホストＰＣ１の制御装置１１は、第１クライアントＰＣ３から切断要求を受信すると、上記のように、アイコン情報を記憶装置１２から削除する。この場合に削除されるアイコン情報は、アイコンソースが第１クライアントＰＣ３のクライアントＩＤとなっているものである。
【００７９】
その後、第１クライアントＰＣ３の制御装置３１は、第１ホストＰＣ１から送信され、記憶装置３２に記憶されている全てのアイコン情報を記憶装置３２から削除する（Ｓ６０３）。この場合に削除されるアイコン情報は、アイコンソースが第１ホストＰＣ１のホストＩＤとなっているものである。
【００８０】
上記のように、本実施の形態の画像処理システムでは、第１ホストＰＣ１から第１クライアントＰＣ３が切断された場合に、第１ホストＰＣ１の記憶装置１２からアイコンソースが第１クライアントＰＣ３のクライアントＩＤのアイコン情報が削除され、第１クライアントＰＣ３の記憶装置３２からアイコンソースが第１ホストＰＣ１のホストＩＤのアイコン情報が削除される。これにより、各記憶装置１２，３２に無駄なアイコン情報が蓄積され、その結果、各記憶装置１２，３２の利用可能な記憶領域が減少する事態を防止することができる。
【００８１】
(アイコン情報のアイコンソースがユーザーＩＤの場合)
なお、第１クライアントＰＣ３に直接登録されているアイコン情報のアイコンソースとしては、第１クライアントＰＣ３のＯＳ（Operating System)に設定されているユーザーＩＤを使用してもよい。
【００８２】
このようなユーザーＩＤをアイコン情報のアイコンソースとして使用した場合には、第１クライアントＰＣ３に直接登録されているアイコン（アイコン画像）を一覧表示する場合に、ユーザーごとに、そのユーザーが登録したアイコン情報のアイコンのみを抽出して表示することができる。これにより、自分が登録したアイコンを他のユーザーに閲覧されたくない場合、あるいは自分が登録したアイコンのみを表示したい場合に、そのような表示状態を実現することができる。この場合の第１クライアントＰＣ３の動作は次のとおりである。
【００８３】
図１１は、第１クライアントＰＣ３のＯＳのユーザーＩＤをアイコン情報のアイコンソースとして使用した場合において、表示装置３５に特定のユーザーＩＤをアイコンソースとするアイコンのみを一覧表示する場合の第１クライアントＰＣ３の動作を示すフローチャートである。
【００８４】
図１１において、まず、制御装置３１は、第１クライアントＰＣ３のシステム設定領域から、第１クライアントＰＣ３に対するログインユーザーのユーザーＩＤを取得する（Ｓ７０１）。
【００８５】
次に、制御装置３１は、取得したユーザーＩＤをアイコンソースとするアイコン情報のアイコンを記憶装置３２から抽出し、そのアイコンのみを表示装置３５に表示させる（Ｓ７０２）。
【００８６】
(ホストＰＣまたはクライアントでのアイコン情報の直接登録動作)
次に、第１ホストＰＣ１または第１クライアントＰＣ３において、アイコン情報が直接登録される場合の動作について説明する。ここでは、第１クライアントＰＣ３での動作を例示する。
【００８７】
第１クライアントＰＣ３において、新規のアイコンを登録する場合に、そのアイコン画像は、例えばデジタルカメラで撮影されて記憶装置３２に保存されている画像や、第１クライアントＰＣ３のペイントソフトで作成されて記憶装置３２に保存されている画像を使用することができる。
【００８８】
第１クライアントＰＣ３において、ユーザーにより入力装置３４から新規アイコンの登録が指示されると、制御装置３１は、表示装置３５にアイコン登録画面を表示させる。図１２は、第１クライアントＰＣ３の表示装置３５に表示されるアイコン登録画面（アイコン登録のためのユーザーインターフェース）を示す説明図である。
【００８９】
第１クライアントＰＣ３において、アイコン情報を登録する場合には、上記のアイコン登録画面にアイコンとして登録したい画像を表示させる。ユーザーが表示された画像を例えばマウスによって選択し、登録ボタンを押すと、その画像が新たなアイコン画像として登録される。
【００９０】
(クライアントＰＣにおいてプロファイルを作成して追加する動作)
次に、第１クライアントＰＣ３における、プロファイル（スキャンプロファイルあるいは印刷プロファイル）を作成して追加する動作について説明する。なお、本実施の形態において、第１クライアントＰＣ３は、さらに、記憶装置３２に記憶されているプロファイル（スキャンプロファイルあるいは印刷プロファイル）を編集（修正）および削除する動作を行うものとなっている。
【００９１】
また、第１クライアントＰＣ３は、追加したプロファイル、および修正したプロファイルに対して、新たに作成したアイコンをプロファイルアイコンとして割り当てることができる。
【００９２】
図１３は、第１クライアントＰＣ３の表示装置３５に表示される、プロファイル追加・修正のための第１のユーザーインターフェース（プロファイル設定ツール画面の第１画面、アイコン設定画面）を示す説明図である。図１４は、上記表示装置３５に表示される、プロファイル追加・修正のための第２のユーザーインターフェース（プロファイル設定ツール画面の第２画面、アイコン設定画面）を示す説明図である。図１５は、上記表示装置３５に表示される、プロファイル追加・修正のための第３のユーザーインターフェース（プロファイル設定ツール画面の第３画面、アイコン設定画面）を示す説明図である。これらプロファイル設定ツール画面は、第１画面、第２画面、第３画面の順序にて遷移する。
【００９３】
第１クライアントＰＣ３では、プロファイル設定ツール画面に対するユーザーの入力操作により、スキャンプロファイルあるいは印刷プロファイルを追加あるいは編集（修正）できるようになっている。この動作において、第１クライアントＰＣ３の制御装置３１は、プロファイル設定ツール画面の表示用データを例えば第１ホストＰＣ１に要求して取得する。
【００９４】
次に、制御装置３１は、取得した表示用データに基づき、プロファイル設定ツール画面を表示装置３５に表示させる。この画面は、図１３に示すプロファイル設定ツール画面の第１画面である。この第１画面には、第１クライアントＰＣ３の記憶装置３２に記憶されている複数のプロファイルがプロファイルアイコンとともに表示される。図１３に示す状態では、各プロファイルが所定のプロファイルアイコンと関連付けられている。各プロファイルは、例えばあらかじめユーザーにて作成され、記憶装置３２に記憶されている。
【００９５】
プロファイル設定ツール画面の第１画面においては、ユーザーにより、追加ボタン３０１が押されるか、修正するプロファイルの選択後に編集ボタン３０２が押される。あるいは、削除するプロファイルの選択後に削除ボタン３０３が押されることもある。
【００９６】
例えば、修正するプロファイルの選択後に編集ボタン３０２が押された場合、第１クライアントＰＣ３の制御装置３１は、表示装置３５に図１４に示すプロファイル設定ツール画面の第２画面を表示させる。第２画面では、ユーザーは、プロファイルについての基本情報、スキャン条件およびＰＣ処理のそれぞれについて設定することができる。また、保存ボタン３０４が押されると設定内容を保存し、キャンセルボタン３０５が押されると設定内容をキャンセルする。
【００９７】
一方、アイコン変更ボタン３０６が押されると、第１クライアントＰＣ３の制御装置３１は、表示装置３５に図１５に示すプロファイル設定ツール画面の第３画面を表示させる。この第３画面には、第１ホストＰＣ１の記憶装置１２に記憶されているプロファイルのいずれにも割り当てられていないプロファイルアイコン２０６が表示される。表示されるプロファイルアイコン２０６は、第１クライアントＰＣ３が保持していたもの、あるいは第１ホストＰＣ１が保持しているものを第１ホストＰＣ１に要求して取得したものである。第１クライアントＰＣ３が保持していたプロファイルアイコン２０６は、上記の図１２はアイコン登録画面によって登録されたものである。
【００９８】
第３画面（図１５参照）では、ユーザーは、表示されている複数のプロファイルアイコン２０６のうちから、いずれかをプロファイル１（図１４参照）のプロファイルアイコン２０６として選択することができる。第１クライアントＰＣ３の制御装置３１では、第３画面において、いずれかのプロファイルアイコン２０６が選択された後、ＯＫボタン３０７が押されると、選択されたプロファイルアイコン２０６をプロファイル１のプロファイルアイコン２０６として仮に設定する。
【００９９】
次に、制御装置３１は、表示装置３５の表示を、プロファイル設定ツール画面の第３画面（図１５参照）から第２画面（図１４参照）に遷移させる。この場合に、第２画面に表示されるプロファイルアイコン２０６は、第３画面（図１５参照）においてユーザーにより選択されたものである。その後、第２画面（図１４参照）において、保存ボタン３０４が押されると、制御装置３１は、変更後のプロファイルアイコン２０６をプロファイル１のプロファイルアイコン２０６として記憶装置３２に保存する。
【０１００】
なお、記憶装置３２に保存された上記情報は、前述したように、第１クライアントＰＣ３から第１ホストＰＣ１に送信され、第１ホストＰＣ１の記憶装置１２にも保存される。
【０１０１】
次に、プロファイル設定ツール画面の第３画面（図１５参照）を表示する場合に行われる第１クライアントＰＣ３および第１ホストＰＣ１の動作について説明する。図１６は、図１５に示したプロファイル設定ツール画面の第３画面を表示する場合に行われる第１クライアントＰＣ３および第１ホストＰＣ１の動作を示すフローチャートである。
【０１０２】
プロファイル設定ツール画面の第２画面（図１４参照）において、アイコン変更ボタン３０６が押されると、図１５に示すように、第１クライアントＰＣ３の制御装置３１は、通信装置３３およびネットワーク６を経由して、プロファイルアイコン情報を第１ホストＰＣ１に要求する（Ｓ８１）。このプロファイルアイコン情報は、第１ホストＰＣ１の記憶装置１２に記憶されている各プロファイルに対応するプロファイルアイコン（図２５のプロファイルアイコン２０６）の一覧を示す情報である。
【０１０３】
第１ホストＰＣ１の制御装置１１は、ネットワーク６および通信装置１３を経由して、プロファイルアイコン情報の要求を受信すると、記憶装置１２に記憶されている各プロファイルのプロファイルアイコン情報を、通信装置１３およびネットワーク６を経由して第１クライアントＰＣ３に送信する（Ｓ８２）。これにより、第１クライアントＰＣ３の制御装置３１は、通信装置３３およびネットワーク６を経由してプロファイルアイコン情報を受信する（Ｓ８３）。
【０１０４】
次に、第１クライアントＰＣ３の制御装置３１は、記憶装置３２に記憶されているプロファイルアイコンの中から、第１ホストＰＣ１から受信したプロファイルアイコン情報に含まれていない全てのアイコンを、選択可能なプロファイルアイコンとして表示装置３５に表示する（Ｓ８４）。この表示は、図１５に示したプロファイル設定ツール画面の第３画面である。
【０１０５】
上記のように、本実施の形態の画像処理システムでは、第１クライアントＰＣ３において新たに作成されたプロファイル（追加されたプロファイル）、および修正されたプロファイルには、第１ホストＰＣ１の記憶装置１２に記憶されているプロファイルのいずれにも割り当てられていないプロファイルアイコンが割り当てられる。したがって、複合機５の表示装置５５に表示される全てのプロファイルには、第１クライアントＰＣ３において新たに作成されたプロファイルあるいは編集されたプロファイルであっても、互いに異なるプロファイルアイコンを設定することができる。これにより、異なるプロファイルに同じプロファイルアイコンが設定されることによる、ユーザーのプロファイルの選択間違いを防止することができる。
【０１０６】
次に、待機中の複合機５にユーザーがログインする場合、およびログインした後のホストＰＣ（例えば第２ホストＰＣ２）および複合機５の動作について説明する。図１７は、待機中の複合機５にユーザーがログインする場合、およびログインした後の第２ホストＰＣ２および複合機５の動作を示すフローチャートである。ここでは、例えば第２ホストＰＣ２がアカウント管理サーバーとして動作している。図１８は、図１７のＳ２０１において複合機５の表示装置５５に表示される第１画面（ログイン画面）を示す説明図、図１９は、図１７のＳ２０３において複合機５の表示装置５５に表示される第２画面（初期画面）を示す説明図、図２０は、図１７のＳ２１２において複合機５の表示装置５５に表示される第３画面を示す説明図である。
【０１０７】
本実施の形態の画像処理システムにおいて、複合機５の待機中には、下記のように、複合機５に入力されたログイン情報に対して第２ホストＰＣ２がユーザー認証処理を行うことにより、複合機５を使用できるユーザーが制限されている。
【０１０８】
複合機５の使用を希望するユーザーは、複合機５のところに出向き、表示装置５５の図１８に示す第１画面（ログイン画面）からユーザー名およびパスワードの手動入力、もしくは複合機５に対するＩＣカード（携帯用情報記録媒体）の提示等による自動入力によってログインする（Ｓ２０１）。
【０１０９】
第１画面（ログイン画面）においてユーザー名およびパスワードが入力された場合、それらユーザー名およびパスワードは、複合機５から第２ホストＰＣ２に送信される。
【０１１０】
第２ホストＰＣ２は、ユーザー名およびパスワードを複合機５から受信すると、それらに基づいてユーザー認証処理を行う（Ｓ２０２）。
【０１１１】
本実施の形態の画像処理システムでは、ネットワーク６に対する第１クライアントＰＣ３の一時的な接続が許可されている場合、ネットワーク６に接続された第１クライアントＰＣ３からログイン情報（個別ログイン情報）を取得し、そのログイン情報を臨時ログイン情報として第２ホストＰＣ２に登録する。これにより、臨時ログイン情報によって一時的にネットワーク６に接続した第１クライアントＰＣ３（ユーザー）であっても、上記Ｓ２０１に示したログインによって、複合機５を利用可能となっている。したがって、第２ホストＰＣ２の管理者が一時的なユーザーについての接続設定のために煩わされることが無く、画像処理システムの管理が容易となる。
【０１１２】
上記Ｓ２０２において、第２ホストＰＣ２により複合機５の使用が認められると（認証ＯＫ）、複合機５の表示装置５５では図１９に示す第２画面（初期画面）が表示される（Ｓ２０３）。なお、一般的には、利用頻度の高いコピー設定画面がデフォルトの第２画面（初期画面）として設定されることが多い。
【０１１３】
次に、第２画面（初期画面）において、タブメニューからユーザーによりコピー、イメージ送信、ドキュメントファイリングまたはＯＳＡのいずれかが選択されると（Ｓ２０４）、動作モードが選択された動作の動作モードとなる。
【０１１４】
この場合、複合機５の表示装置５５には、Ｓ２０４での選択に応じて、コピーメニュー、イメージ送信メニュー、またはドキュメントファイリングメニューが表示される（Ｓ２０５、Ｓ２０８、Ｓ２１０）。
【０１１５】
次に、上記いずれかのメニュー画面において、ユーザーの希望する動作が指定され、スタートキーが押されると、複合機５は、選択されている動作モードに応じて、コピー制御、イメージ送信制御、またはドキュメントファイリング制御を行う（Ｓ２０６、Ｓ２０９、Ｓ２１１）。その後、ユーザーにより「＊キー」（図１８参照）が押されてログアウト処理が選択されると（Ｓ２０７）、複合機５および第２ホストＰＣ２は、ログアウト処理を行い（Ｓ２１５、Ｓ２１６）、複合機５は待機状態に戻る。
【０１１６】
一方、Ｓ２０４においてＯＳＡメニューが選択されると、複合機５の表示装置５５では、図２０に示す第３画面において、ＯＳＡメニューが表示される（Ｓ２１２）。
【０１１７】
次に、第３画面において、「ＯＳＡ  ＮＳＴ」が選択されると（Ｓ２１３）、複合機５の処理は図２１のＳ２１の処理へ移行する。その後は、Ｓ２１以降の処理により「ＯＳＡ  ＮＳＴ」が実行され、複合機５の表示装置５５の表示が、図２４から図２５のように、ユーザーからのログイン操作に従って遷移する。
【０１１８】
次に、ユーザーが画像処理システムにログインしてから複合機５にてスキャンを完了するまでの間に実行される画像処理システムの動作について、図２１から図２７により説明する。図２１は、本実施の形態の画像処理システムにおけるログインからスキャン完了までの動作における前段部分の動作を示すフローチャートである。図２２は、図２１の前段部分の動作に続く中段部分の動作を示すフローチャートである。図２３は、図２２の中段部分の動作に続く後段部分の動作を示すフローチャートである。
【０１１９】
図２４は、図２１のＳ２３において表示されるログイン画面を示す説明図、図２５は、図２１のＳ２７において表示されるプロファイル一覧画面を示す説明図、図２６は、図２１のＳ３１において表示されるプロファイルの内容表示画面を示す説明図、図２７は、図２２のＳ４３において表示されるプロファイルの保存確認画面を示す説明図である。
【０１２０】
複合機５は、表示装置５５にホーム画面を表示している状態において、ユーザーにより画像処理システムへのログインのための所定のボタンが押されると、表示装置５５に図２４に示すログイン画面を表示する。
【０１２１】
この場合、複合機５の制御装置５１は、ログインのための所定のボタンが押されると、ログイン画面の表示用データを、通信装置５３およびネットワーク６を経由して第１ホストＰＣ１に要求する（Ｓ２１）。
【０１２２】
第１ホストＰＣ１の制御装置１１は、ネットワーク６および通信装置１３を経由して、複合機５からログイン画面の表示用データの要求を受信すると、通信装置１３およびネットワーク６を経由してログイン画面の表示用データを複合機５に送信する（Ｓ２２）。
【０１２３】
複合機５の制御装置５１は、ネットワーク６および通信装置５３を経由して、第１ホストＰＣ１からログイン画面の表示用データを受信すると、表示装置５５に図２４に示すログイン画面を表示させる（Ｓ２３）。
【０１２４】
次に、表示装置５５に表示されているログイン画面に対して、ユーザーにより入力装置５４を操作してユーザーおよびパスワードが指定され、ログインボタン２０３が押されると（Ｓ２４）、第１ホストＰＣ１は指定されたユーザーに対応するパスワードが入力されているかどうかの認証処理を行う（Ｓ３５）。その結果、認証ＯＫであれば、複合機５の制御装置５１は、通信装置５３およびネットワーク６を経由して、プロファイル一覧画面の表示用データを第１ホストＰＣ１に要求する（Ｓ２５）。
【０１２５】
第１ホストＰＣ１の制御装置１１は、ネットワーク６および通信装置１３を経由してプロファイル一覧画面の表示用データの要求を受信すると、ユーザーが指定したユーザーのユーザー識別子に対応するプロファイルの一覧を含むプロファイル一覧画面の表示用データを、通信装置１３およびネットワーク６を経由して複合機５に送信する（Ｓ２６）。
【０１２６】
複合機５の制御装置５１は、ネットワーク６および通信装置５３を経由してプロファイル一覧画面の表示用データを受信すると、表示装置５５に図２５に示すプロファイル一覧画面を表示させる（Ｓ２７）。
【０１２７】
次に、表示装置５５に表示されているプロファイル一覧画面に対して、ユーザーにより入力装置５４を操作していずれかのプロファイルが選択されると（Ｓ２８）、複合機５の制御装置５１は、通信装置５３およびネットワーク６を経由して、プロファイルの内容表示画面の表示用データを第１ホストＰＣ１に要求する（Ｓ２９）。
【０１２８】
第１ホストＰＣ１の制御装置１１は、ネットワーク６および通信装置１３を経由してプロファイルの内容表示画面の表示用データの要求を受信すると、ユーザーが指定したプロファイルのプロファイル識別子に対応するプロファイル情報を含むプロファイルの内容表示画面の表示用データを、通信装置１３およびネットワーク６を経由して複合機５に送信する（Ｓ３０）。
【０１２９】
複合機５の制御装置５１は、ネットワーク６および通信装置５３を経由してプロファイルの内容表示画面の表示用データを受信すると、表示装置５５に図２６に示すプロファイルの内容表示画面を表示させる（Ｓ３１）。
【０１３０】
次に、表示装置５５に表示されているプロファイルの内容表示画面に対して、必要に応じてユーザーにより入力装置５４を操作してスキャン条件あるいは印刷条件が変更され、実行ボタン２０９が押される（図２２のＳ４１）。なお、図２６のプロファイルの内容表示画面の例では、スキャン条件が示されている。
【０１３１】
次に、制御装置５１は、スキャン条件あるいは印刷条件が変更されたかどうか判断する（Ｓ４２）。その結果、スキャン条件あるいは印刷条件が変更されていなければＳ６６（図２３参照）に進む一方、スキャン条件あるいは印刷条件が変更されていればＳ４３に進む。
【０１３２】
Ｓ４２の判定の結果、スキャン条件あるいは印刷条件が変更されていれば、複合機５の制御装置５１は、表示装置５５に図２７に示すプロファイルの保存確認画面を表示させる（Ｓ４３）。
【０１３３】
次に、表示装置５５に表示されているプロファイル保存確認画面において、ユーザーによりいいえボタン２１０、上書き保存ボタン２１１あるいは新規に保存ボタン２１２のいずれかが押されると、制御装置５１は、どのボタンが押されかを判断する（Ｓ４４）。この判断の結果、いいえボタン２１０が押されていればＳ６６（図２３参照）に進み、上書き保存ボタン２１１が押されていればＳ４６に進み、新規に保存ボタン２１２が押されていればＳ４５に進む。
【０１３４】
複合機５の制御装置５１は、Ｓ４４において新規に保存ボタン２１２が押されたと判断した場合、表示装置５５に新規プロファイルの名前を入力するようユーザーに促す画面を表示させる。この表示に応じて、ユーザーにより入力装置５４を使用して新規プロファイルの名前が入力されると、その名前を変更後のプロファイルに付ける（Ｓ４５）。
【０１３５】
次に、複合機５の制御装置５１は、通信装置５３およびネットワーク６を経由して、変更後のプロファイルの情報を第１ホストＰＣ１に送信する（Ｓ４６）。
【０１３６】
第１ホストＰＣ１の制御装置１１は、ネットワーク６および通信装置１３を経由して変更後のプロファイルの情報を受信すると（Ｓ４７）、記憶装置１２に変更後のプロファイルの情報を保存する（Ｓ４８）。さらに、制御装置１１は、通信装置１３およびネットワーク６を経由して、変更後のプロファイルの情報を第１クライアントＰＣ３に送信する（Ｓ４９）。
【０１３７】
第１クライアントＰＣ３の制御装置３１は、ネットワーク６および通信装置１３を経由して変更後のプロファイルの情報を受信すると（Ｓ５０）、記憶装置３２に変更後のプロファイルの情報を保存する（図２３のＳ６１）。
【０１３８】
次に、第１クライアントＰＣ３の制御装置３１は、通信装置３３およびネットワーク６を経由して、プロファイルの情報の保存が完了した旨を第１ホストＰＣ１に送信する（Ｓ６２）。
【０１３９】
第１ホストＰＣ１の制御装置１１は、ネットワーク６および通信装置１３を経由して、プロファイルの保存が完了した旨を受信すると（Ｓ６３）、さらに通信装置１３およびネットワーク６を経由して、プロファイルの保存が完了した旨を複合機５に送信する（Ｓ６４）。
【０１４０】
上記Ｓ６４の動作に伴い、複合機５の制御装置５１は、ネットワーク６および通信装置５３を経由してプロファイルの保存が完了した旨を受信する（Ｓ６５）。
【０１４１】
次に、複合機５の制御装置５１は、Ｓ４１（図２２参照）において設定されたプロファイルが指定する条件にて、画像読取装置３７にスキャンを行わせる（Ｓ６６）。さらに、スキャンにて取得された画像、すなわちスキャン画像を、通信装置３３およびネットワーク６を経由して、第１ホストＰＣ１に送信する（Ｓ６７）。
【０１４２】
第１ホストＰＣ１の制御装置１１は、ネットワーク６および通信装置１３を経由してスキャン画像を受信すると（Ｓ６８）、さらにそのスキャン画像を通信装置１３およびネットワーク６を経由して、第１クライアントＰＣ３に送信する（Ｓ６９）。
【０１４３】
第１クライアントＰＣ３の制御装置３１は、ネットワーク６および通信装置１３を経由してスキャン画像を受信すると、Ｓ４１（図２２参照）において設定されたプロファイルが指定する条件にて処理（ＰＣ処理）を行い（Ｓ７０）、処理後のスキャン画像を記憶装置３２に保存する（Ｓ７１）。
【０１４４】
なお、複合機５では、電源ＯＮ後に表示装置５５にホーム画面が最初に表示され、その後、画像処理システムへのログインのための所定のボタンが押されると、図２４に示すログイン画面が表示される。ログインのための所定のボタンは、例えばボタンへの事前の登録により画像処理システムに割り当てられたものである。ログイン画面では、第１ホストＰＣ１に登録されているユーザーのユーザー名２０１、およびそのユーザーを示すユーザーアイコン２０２が表示される。なお、表示されていない分のユーザー名２０１およびユーザーアイコン２０２は、上向矢印および下向矢印の表示切替ボタン２０４を操作することにより、表示される。
【０１４５】
上記ログイン画面上において、複合機５のユーザーにより適切なユーザーおよびパスワードが指定され、ログインボタン２０３が押されると、図２５に示すように、指定されたユーザーに関してのプロファイル一覧画面が表示される。なお、図２５のプロファイル一覧画面では、スキャン選択ボタン２０７が押されてスキャン選択ボタン２０７が反転表示となっている。すなわち、図２５のプロファイル一覧画面では、複合機５の画像読取装置１３７でのスキャン条件を示すスキャンプロファイルが選択されている。
【０１４６】
また、本実施の形態において、複合機５のユーザーは、基本的には第１クライアントＰＣ３（または第２クライアントＰＣ４）のユーザーである。また、複合機５のユーザーが第１クライアントＰＣ３（または第２クライアントＰＣ４）のユーザーであることは、図２４のログイン画面において、第１クライアントＰＣ３（または第２クライアントＰＣ４）のユーザーがログインすることにより特定することができる。
【０１４７】
図２５のプロファイル一覧画面では、図２４のログイン画面において指定したユーザーに関連付けられているプロファイルのプロファイル名２０５、およびそのプロファイルを示すプロファイルアイコン２０６が表示される。また、スキャンを選択するためのスキャン選択ボタン２０７、および印刷を選択するための印刷選択ボタン２０８が表示される。すなわち、プロファイル一覧画面においては、スキャンプロファイルか印刷プロファイルかの選択、ならびにスキャンプロファイルおよび印刷プロファイル毎に、あらかじめ登録されている複数のプロファイル（例えばプロファイル１〜８）のうちのいずれかを選択可能である。
【０１４８】
図２５のプロファイル一覧画面において、ユーザーにより利用したいプロファイルが選択されると、図２６に示すプロファイルの内容表示画面（処理実行条件情報の内容表示画面）が表示される。このプロファイルの内容表示画面には、図２５のプロファイル一覧画面にて指定されたプロファイルに関するスキャン・印刷条件およびＰＣ処理条件（追加処理実行条件情報）が表示される。図２６の例は、図２５のプロファイル一覧画面において、スキャンプロファイルが選択され、かつ例えばプロファイル１〜８のいずれかが選択された場合のプロファイルの内容表示画面を示している。複合機５のユーザーは図２６のプロファイルの内容表示画面を操作して、複合機５でのスキャン・印刷条件およびＰＣ処理条件（例えば第１クライアントＰＣ３での処理条件）を確認したり変更したりすることができる。
【０１４９】
図２６のプロファイルの内容表示画面において、ユーザーにより実行ボタン２０９が押されると、同画面においてスキャン・印刷条件およびＰＣ処理条件が変更されていない場合には、スキャンまたは印刷が実行される。一方、同画面において、スキャン・印刷条件およびＰＣ処理条件のいずれかが変更されている場合には、図２７に示すプロファイル保存確認画面が表示される。
【０１５０】
上記プロファイル保存確認画面において、ユーザーによりいいえボタン２１０が押されると、スキャンまたは印刷が実行される。また、ユーザーにより上書き保存ボタン２１１が押されると、変更結果が第１クライアントＰＣ３の記憶装置３２および第１ホストＰＣ１の記憶装置１２に記憶された該当プロファイルに反映される。また、ユーザーにより新規に保存ボタン２１２が押されると、変更結果が第１クライアントＰＣ３の記憶装置３２および第１ホストＰＣ１の記憶装置１２に新規プロファイルとして保存される。
【０１５１】
以上のように、本実施の形態の画像処理システムでは、複合機５において、ユーザーからの入力操作により、スキャンプロファイルおよび印刷プロファイルの作成、編集ならびに削除が行われる。複合機５にて作成あるいは編集されたスキャンプロファイルおよび印刷プロファイルは、複合機５から第１ホストＰＣ１に送信され、さらに第１ホストＰＣ１から第１クライアントＰＣ３に送信されることにより、第１ホストＰＣ１および第１クライアントＰＣ３に保存される。
【０１５２】
また、プロファイル情報（図４参照）およびユーザー情報（図５参照）は、複合機５から受信したプロファイルを使用して、第１クライアントＰＣ３または第１ホストＰＣ１において作成され、第１クライアントＰＣ３および第１ホストＰＣ１に保存される。
【０１５３】
また、第１クライアントＰＣ３が画像処理システムの第１ホストＰＣ１に接続された場合、第１クライアントＰＣ３が保持するプロファイル情報およびユーザー情報は、図８に示したように、第１ホストＰＣ１に送信され、第１ホストＰＣ１に保存される。したがって、第１クライアントＰＣ３が第１の画像処理システムから持ち出され、第２の画像処理システムに接続された場合に、第１クライアントＰＣ３が保持するプロファイル情報およびユーザー情報は、第２の画像処理システムの第１ホストＰＣ１に保存される。
【０１５４】
これにより、第１クライアントＰＣ３を第１の画像処理システムから持ち出して第２の画像処理システムの第１ホストＰＣ１に接続した場合にも、第１の画像処理システムに保持されていた既存のプロファイルを第２の画像処理システムにおいても使用することができる。この結果、第２の画像処理システムにおいて、スキャン条件が設定された既存のスキャンプロファイル、および印刷条件が設定された既存の印刷プロファイルを使用して、スキャンおよび印刷を迅速に行うことができる。
【０１５５】
また、本実施の形態の画像処理システムにおいて、スキャンプロファイルには、スキャン設定条件に加え、複合機５の画像読取装置１３７にて取得されたスキャン画像に対しての処理に関するＰＣ処理条件が含まれていてもよい。同様に、印刷プロファイルには、印刷設定条件に加え、第１クライアントＰＣ３または第１ホストＰＣ１から複合機５に送信される印刷データに対する処理に関するＰＣ処理条件が含まれていてもよい。
【０１５６】
この場合、ＰＣ処理条件に基づいたスキャン画像に対する処理は、第１クライアントＰＣ３または第１ホストＰＣ１にて行われる。同様に、ＰＣ処理条件に基づいた印刷データに対する処理は第１クライアントＰＣ３または第１ホストＰＣ１にて行われる。したがって、第１クライアントＰＣ３と第１ホストＰＣ１との少なくとも一方は、スキャン画像に対してＰＣ処理条件にて指定された処理を施す機能を有する。同様に、第１クライアントＰＣ３と第１ホストＰＣ１との少なくとも一方は、印刷データに対してＰＣ処理条件にて指定された処理を施す機能を有する。なお、図２３の動作例では、ＰＣ処理条件に基づく処理が第１クライアントＰＣ３にて行われる場合を示している。
【０１５７】
図２８は、プロファイル情報に含まれるＰＣ処理条件のデータ構造の概要を示す説明図である。図２８に示すように、ＰＣ処理条件には、画像の傾き補正、文字認識（ＯＣＲ）、画像高圧縮（画像ファイルのサイズを小さくする処理）、および外部アプリケーション起動等の各処理について行うか否かの設定がされており、行う設定である場合の入力パラメータが示されている。したがって、第１クライアントＰＣ３と第１ホストＰＣ１との少なくとも一方の制御装置３１，１２１は、ＰＣ処理条件に示されている各処理を行う処理部としての機能を備えている。
【０１５８】
図２９は、図２５に示したプロファイル一覧画面において、ユーザーにより選択されたプロファイルにＰＣ処理条件が含まれていた場合に第１クライアントＰＣ３において実行されるＰＣ処理を示すフローチャートである。このＰＣ処理は、画像処理システムにおいて、図２１から図２３に示したログインからスキャン完了までの動作の後に自動的に実行される。
【０１５９】
図２９に示すように、クライアントＰＣ１の制御装置１１は、プロファイルに含まれているＰＣ処理条件に基づいてＰＣ処理を行う場合に、記憶装置１２に保存されている処理対象のスキャン画像を読み出す（Ｓ１０１）。
【０１６０】
制御装置３１は、ＰＣ処理条件において傾き補正がＯＮであれば（Ｓ１０２）、ＰＣ処理条件に示されている傾き補正パラメータに従って傾き補正を実行する（Ｓ１０３）。
【０１６１】
次に、制御装置３１は、ＰＣ処理条件において文字認識がＯＮであれば（Ｓ１０４）、ＰＣ処理条件に示されている文字認識パラメータに従って文字認識を実行する（Ｓ１０５）。
【０１６２】
次に、制御装置３１は、ＰＣ処理条件において画像高圧縮がＯＮであれば（Ｓ１０６）、ＰＣ処理条件に示されている画像高圧縮パラメータに従って画像高圧縮を実行する（Ｓ１０７）。
【０１６３】
次に、上記各処理が施されて生成されたファイル（スキャン画像データ）を記憶装置３２に保存する（Ｓ１０８）。
【０１６４】
その後、その他のアプリケーションプログラムの起動がＯＮでれば（Ｓ１０９）、アプリ起動パラメータに従ってそのアプリケーションプログラムを起動する（Ｓ１１０）。
【０１６５】
上記のように、本実施の形態の画像処理システムでは、プロファイルには、例えば第１クライアントＰＣ３において実行される処理に関するＰＣ処理条件も含まれている。これにより、画像処理システム全体としてより高度な処理が可能となる。
【０１６６】
なお、本実施の形態の画像処理システムは、画像処理装置としての複数台の複合機５がネットワーク６を介して第１，第２ホストＰＣ１，２および第１，第２クライアントＰＣ３，４に接続されている構成であってもよい。また、この場合に、複合機５ごとに、操作パネルの表示装置５５に表示されるプロファイルアイコンの並び順を変更できる構成であってもよい。
【０１６７】
このような構成では、複合機５の利用状況にあわせて、ユーザーが最も利用しやすい状態にアイコンの並びを設定することができる。例えば、複合機５が高解像度・高速スキャン可能なものである場合に、高解像度読み取りに設定されたプロファイルアイコンを上位に表示するようにしてもよい。あるいは、複合機５が高解像度の設定において低速でしかスキャンできないものである場合に、低解像度読み取りに設定されたアイコンを上位に表示するようにしてもよい。
【０１６８】
複合機５の表示装置５５において上記のような表示を行う場合の画像処理システムの動作は次のとおりである。
【０１６９】
図２１のＳ２５〜Ｓ２７において、複合機５はプロファイル一覧画面を第１ホストＰＣ１から受信している。ここで、第１ホストＰＣ１は、Ｓ２５において複合機５からプロファイル一覧画面の表示用データを要求されたタイミングにて、複合機５の識別情報（ＩＰアドレスや機種名およびシリアル番号等）を受信し、上記要求がどの複合機５からの要求かを検出できるようになっている。また、それ以前の段階でなされているユーザログイン処理（Ｓ２４，Ｓ３５）によって、どのユーザーが当該複合機５を利用するのかも検出できるようになっている。
【０１７０】
そこで、第１ホストＰＣ１は、ユーザー識別子と複合機識別情報とをキーとして図３０に示す管理テーブルを参照し、プロファイルアイコンの並び順を取得する。図３０は、第１ホストＰＣ１の記憶装置１２に記憶されている、複合機５別の対応するプロファイルアイコンのアイコンＩＤとその並び順を記憶した管理テーブルである。この管理テーブルは、予めユーザー自身または管理者によって第１ホストＰＣ１の記憶装置１２に格納されている。
【０１７１】
次に、第１ホストＰＣ１は、管理テーブルから取得した、プロファイルアイコンの並び順の情報に基づいてプロファイル一覧の画像を変更し、変更後のプロファイル一覧の画面データを複合機に送信する。
【０１７２】
他の構成として、例えば第１クライアントＰＣ３は、第１クライアントＰＣ３においてユーザーにより編集された上記管理テーブルを記憶装置３２に記憶し、第１クライアントＰＣ３を例えば第１ホストＰＣ１に接続したときに、第１クライアントＰＣ３から第１ホストＰＣ１に上記管理テーブルを送信するようにしてもよい。
【０１７３】
また、上記の実施の形態では、画像処理システムにおいて、それぞれ１台のクライアントＰＣ、第１ホストＰＣ１および複合機５がネットワーク６を介して互いに接続されている場合について説明した。しかしながら、画像処理システムの構成は、これに限定されることなく、それぞれ複数台であっても構わない。例えば複数台のクライアントＰＣ、１台の第１ホストＰＣ１および複数台の複合機５がネットワーク６を介して互いに接続されている構成であってもよい。この場合には、図１３から図１５に示した動作が各第１クライアントＰＣ３と複合機５との組み合わせ毎に並行して行われることになる。
【０１７４】
また、一時的に接続される（臨時接続される）第１クライアントＰＣ３が使用できる複合機５の機能は、正規の第１クライアントＰＣ３が使用できる複合機５の機能よりも制限されている構成としてもよい。この機能制限としては、例えばフルカラー印刷が可能な複合機５において、モノクロ印刷のみを許可するといったものである。
【０１７５】
なお、この場合の臨時接続の第１クライアントＰＣ３が使用できる複合機５の機能の制限は、第１ホストＰＣ１、複合機５あるいはアカウント管理サーバー１０４のいずれが行ってもよい。
【０１７６】
最後に、画像処理システムの第１ホストＰＣ１、第２ホストＰＣ２、第１クライアントＰＣ３、第２クライアントＰＣ４および複合機５の各ブロックは、ハードウェアロジックによって構成してもよいし、次のようにＣＰＵを用いてソフトウェアによって実現してもよい。
【０１７７】
すなわち、第１ホストＰＣ１、第２ホストＰＣ２、第１クライアントＰＣ３、第２クライアントＰＣ４および複合機５は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである第１ホストＰＣ１、第２ホストＰＣ２、第１クライアントＰＣ３、第２クライアントＰＣ４および複合機５の制御プログラムのプログラムコード（実行形式プログラム、中間コードプログラム、ソースプログラム）をコンピュータで読み取り可能に記録した記録媒体を、上記第１ホストＰＣ１、第２ホストＰＣ２、第１クライアントＰＣ３、第２クライアントＰＣ４および複合機５に供給し、そのコンピュータ（またはＣＰＵやＭＰＵ）が記録媒体に記録されているプログラムコードを読み出し実行することによっても、達成可能である。
【０１７８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７９】
また、第１ホストＰＣ１、第２ホストＰＣ２、第１クライアントＰＣ３、第２クライアントＰＣ４および複合機５を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１８０】
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【符号の説明】
【０１８１】
１      第１ホストＰＣ（ホスト装置）
２      第２ホストＰＣ（ホスト装置）
３      第１クライアントＰＣ（クライアント装置）
４      第２クライアントＰＣ（クライアント装置）
５      複合機（画像処理装置）
１１，２１  制御装置（ホスト側制御部）
３１，４１  制御装置（クライアント側制御部）
１２，２２  記憶装置（ホスト側記憶装置）
３２，４２  記憶装置（クライアント側記憶装置）
３５，４５  表示装置（クライアント側表示装置）
５５      表示装置（画像処理側表示装置）
２０１    ユーザー名
２０２    ユーザーアイコン
２０５    プロファイル名
２０６    プロファイルアイコン
２０７    スキャン選択ボタン
２０８    印刷選択ボタン
３０１    追加ボタン
３０２    編集ボタン
３０３    削除ボタン
【図１】
0005524164.tif 000002
【図２】
0005524164.tif 000003
【図３】
0005524164.tif 000004
【図４】
0005524164.tif 000005
【図５】
0005524164.tif 000006
【図６】
0005524164.tif 000007
【図７】
0005524164.tif 000008
【図８】
0005524164.tif 000009
【図９】
0005524164.tif 000010
【図１０】
0005524164.tif 000011
【図１１】
0005524164.tif 000012
【図１２】
0005524164.tif 000013
【図１３】
0005524164.tif 000014
【図１４】
0005524164.tif 000015
【図１５】
0005524164.tif 000016
【図１６】
0005524164.tif 000017
【図１７】
0005524164.tif 000018
【図１８】
0005524164.tif 000019
【図１９】
0005524164.tif 000020
【図２０】
0005524164.tif 000021
【図２１】
0005524164.tif 000022
【図２２】
0005524164.tif 000023
【図２３】
0005524164.tif 000024
【図２４】
0005524164.tif 000025
【図２５】
0005524164.tif 000026
【図２６】
0005524164.tif 000027
【図２７】
0005524164.tif 000028
【図２８】
0005524164.tif 000029
【図２９】
0005524164.tif 000030
【図３０】
0005524164.tif 000031